(57)【要約】【課題】シールイン回路のリフト処理を容易かつ迅速に行うことができるようにする試験用の装置を提供する。【解決手段】シールイン回路遮断装置は、端子台と、電磁接触器と、これらの間を一対のコネクタを介して接続する複数の接続配線であってシールイン回路を構成する接続配線を含む複数の接続配線と、を有する制御回路に用いられる。装置は、制御回路の一対のコネクタとそれぞれ接続自在な第１および第２コネクタと、第１および第２コネクタを接続する複数の配線と、を備えている。配線は、第１コネクタが一対のコネクタの一方に接続されるとともに第２コネクタが他方に接続された場合に、シールイン回路を構成する接続配線以外の切り離された接続配線同士をそれぞれ接続する。【選択図】図１
2010041743.tif 000002
【特許請求の範囲】
【請求項１】
端子台と、補助接点を有する電磁接触器と、端子台と電磁接触器との間を一対のコネクタを介して切り離し自在に接続する複数の接続配線であって、電磁接触器の補助接点と端子台とを接続してシールイン回路を構成する接続配線を含む複数の接続配線と、を有する電動弁駆動用の制御回路に用いられるシールイン回路遮断装置であって、
制御回路の一対のコネクタの一方と接続自在な第１コネクタと、
制御回路の一対のコネクタの他方と接続自在な第２コネクタと、
第１コネクタと第２コネクタとを接続する複数の配線であって、第１コネクタが制御回路の一対のコネクタの一方に接続されるとともに第２コネクタが制御回路の一対のコネクタの他方に接続された場合に、シールイン回路を構成する接続配線以外の切り離された接続配線同士をそれぞれ接続する複数の配線と、を備えたことを特徴とするシールイン回路遮断装置。
【請求項２】
配線を覆う伸縮性チューブからなる保護カバーをさらに備えたことを特徴とする請求項１に記載のシールイン回路遮断装置。
【請求項３】
磁石と、磁石と配線とを連結する連結紐と、をさらに備えたことを特徴とする請求項１または２に記載のシールイン回路遮断装置。
【請求項４】
磁石または連結紐に取り付けられる表示札をさらに備えたことを特徴とする請求項３に記載のシールイン回路遮断装置。
【発明の詳細な説明】
【技術分野】
【０００１】
本発明は、各種プラント、例えば、発電所施設、化学製造施設等において、配管等に付属する電動弁の調整試験等を行なうにあたり、電動弁駆動用の制御回路のシールイン回路を遮断するシールイン回路遮断装置に関する。
【背景技術】
【０００２】
一般的に電動弁単体の調整作動試験においては、電動弁の開閉を操作するための操作盤、電動弁駆動用制御回路を収納したモータコントロールセンタ、及び電動弁本体の設置場所にそれぞれ試験員が配置され、この状態で操作盤から開操作または閉操作するとともに、試験員が電動弁の動作方向を確認する。
【０００３】
さらに、電動弁の回転方向が確認されていない最初の作動試験においては、電動弁開操作回路と閉操作回路とから電動弁シールイン回路部分をリフトして（浮かせて、あるいは取り外して）、電動弁の試験が行われる。このような処理は、電動弁をインチング操作し、電動弁反転時の即停止操作を可能にするために行われる。
【発明の開示】
【発明が解決しようとする課題】
【０００４】
モータコントロールセンタを一旦設置した後において配線を端子台に抜き差しする機会が稀であること、また、引っ掛ける等して配線を端子台から引き抜いてしまうことを防止する必要があること等から、端子台はモータコントロールセンタの上部等、接近しづらい位置に配置されている。したがって、上述した電動弁シールイン回路のリフト処理は、作業性が悪い環境下で行われ、作業時間も長時間を要することになる。また、端子台が、試験対象となる電動弁用ＭＣＣＢや電磁接触器から離れて設置されていると、試験後に行うリフト処理の復旧作業を失念してしまう虞がある。さらに、端子台には高電圧が印加された配線も接続されているため、リフト処理中に感電してしまう虞すらある。
【０００５】
本発明はかかる従来の事情に対処するためになされたものであり、シールイン回路のリフト処理を容易かつ迅速に行うことができるようし、またあわせて、ヒューマンエラーを抑制することができる試験用の装置を提供することを目的とする。
【課題を解決するための手段】
【０００６】
本発明は、端子台と、補助接点を有する電磁接触器と、端子台と電磁接触器との間を一対のコネクタを介して切り離し自在に接続する複数の接続配線であって、電磁接触器の補助接点と端子台とを接続してシールイン回路を構成する接続配線を含む複数の接続配線と、を有する電動弁駆動用の制御回路に用いられるシールイン回路遮断装置であって、制御回路の一対のコネクタの一方と接続自在な第１コネクタと、制御回路の一対のコネクタの他方と接続自在な第２コネクタと、第１コネクタと第２コネクタとを接続する複数の配線であって、第１コネクタが制御回路の一対のコネクタの一方に接続されるとともに第２コネクタが制御回路の一対のコネクタの他方に接続された場合に、シールイン回路を構成する接続配線以外の切り離された接続配線同士をそれぞれ接続する複数の配線と、を備えたことを特徴とするシールイン回路遮断装置である。このようなシールイン回路遮断装置によれば、シールイン回路のリフト処理を容易かつ迅速に行うことができるようになる。さらに、作業効率を向上させるだけでなく、ヒューマンエラーを抑制すること、および作業時の安全性を向上させることもできる。
【０００７】
本発明によるシールイン回路遮断装置が、配線を覆う伸縮性チューブからなる保護カバーをさらに備えるようにしてもよい。この場合、配線を損傷してしまうことや、ほつれさせてしまうことを抑制することができる。
【０００８】
本発明によるシールイン回路遮断装置が、磁石と、磁石と配線とを連結する連結紐と、をさらに備えるようにしてもよい。この場合、制御回路を収納する箱体等に磁石を取り付けておくことにより、リフト処理の復旧作業を忘れてしまう可能性を視覚的な面から低減することができる。
【０００９】
本発明によるシールイン回路遮断装置が、磁石または連結紐に取り付けられる表示札をさらに備えるようにしてもよい。この場合、リフト処理の復旧作業を忘れてしまう可能性を視覚的な面からより低減することができる。
【発明の効果】
【００１０】
本発明によれば、シールイン回路のリフト処理を容易かつ迅速に行うことができるようになる。さらに、作業効率を向上させるだけでなく、ヒューマンエラーを抑制すること、および作業時の安全性を向上させることもできる。
【発明の実施の形態】
【００１１】
以下、図面を参照して本発明の実施の形態について説明する。
【００１２】
図１乃至図３は本発明によるシールイン回路遮断装置の一実施の形態を示す図である。
【００１３】
このうち図１はシールイン回路遮断装置１０を示す斜視図であり、図２はシールイン回路遮断装置１０の使用方法を説明する図であり、図３はシールイン回路遮断装置１０を用いた場合における電動弁Ｖ駆動用の制御回路Ｃの部分回路図である。また、図４は電動弁Ｖ駆動用の制御回路Ｃを収納するモータコントロールセンタ３０の一例を示す概略斜視図である。
【００１４】
まず、複数の電動弁Ｖの動作をそれぞれ制御するための制御回路Ｃを有するモータコントロールセンタ３０について説明する。
【００１５】
図４に示すように、モータコントロールセンタ３０は、電動弁Ｖ毎に区分けして設けられたユニット部３２と、ユニット部３２の上方に設けられた外部配線部４２と、ユニット部３２の横方に設けられ外部配線部４２まで延びる接続部４８と、を有しており、各部３２，４２，４８はそれぞれ鋼製扉３２ａ，４２ａ，４８ａを有している。
【００１６】
ユニット部３２は対象とする電動弁Ｖ用のＭＣＣＢ３５や電磁接触器３６等から構成されるユニット内制御回路３４を収納し（図２）、外部配線部４２は端子台４４を有するとともに端子台４４を経由してユニット内制御回路３４と接続された外部制御回路４３を収納している（図４）。また、外部配線部４２の端子台４４とユニット内制御回路３４の電磁接触器３６等とを接続する複数の接続配線（接続ケーブル）５０が、接続部４８内を通過している。これらユニット内制御回路３４と、外部制御回路４３と、接続配線５０と、によって各電動弁Ｖを駆動するための制御回路Ｃが構成されている。なお、図３に示すように、各ユニット内制御回路３４は、電動弁Ｖを駆動するモータＭを開側に動作させるための開側電磁接触器３６ａと、閉側に動作させるための閉側電磁接触器３６ｂとを有している。
【００１７】
図２に示すように、制御回路Ｃの接続配線５０はその中間部に、固定側コネクタ５２と固定側コネクタ５２に嵌合して接続することができる可動側コネクタ５１とからなる一対のコネクタを設けられている。したがって、複数の接続配線５０は、この一対のコネクタを介して切り離し自在に端子台４４と電磁接触器３６等との間を接続している。固定側コネクタ５２は各ユニット部３２を区画する箱体に固定されており、固定側コネクタ５２から可動側コネクタ５１を取り外した場合、この箱体をモータコントロールセンタ３０から取り外すことができるようになっている。
【００１８】
また、図３に示すように、制御回路Ｃは電磁接触器３６毎にシールイン回路ＳＣを含んでおり、複数の接続配線５０の中には、電磁接触器３６ａ，３６ｂの補助接点３６ｃ，３６ｄと端子台４４とを接続してシールイン回路ＳＣを構成する接続配線５０ａが含まれている。
【００１９】
次に、図１乃至３を用いて、本実施の形態におけるシールイン回路遮断装置１０を説明する。
【００２０】
図１乃至図３に示すように、シールイン回路遮断装置１０は、制御回路Ｃの可動側コネクタ５１に接続自在な第１コネクタ（メス側コネクタ）１２と、制御回路Ｃの固定側コネクタ５２に接続自在な第２コネクタ（オス側コネクタ）１４と、第１コネクタ１２と第２コネクタ１４とを接続する複数の配線１６と、を備えている。
【００２１】
このうち、第１コネクタ１２および第２コネクタ１４は、それぞれ可動側コネクタ５１および固定側コネクタ５２にワンタッチ式で接続、切り離しができるようになっていることが好ましい。
【００２２】
次に、配線１６について説明する。
【００２３】
図２は、制御回路Ｃの固定側コネクタ５２から可動側コネクタ５１を引き外して各接続配線５０をそれぞれ切り離した状態を示し、図３は、この状態から第１コネクタ１２を可動側コネクタ５１に接続させ第２コネクタ１４を固定側コネクタ５２に接続させた場合における制御回路Ｃの部分回路図を示している。図３において、シールイン回路遮断装置１０が挿入されるのは、二点鎖線で囲まれた部分であり、二点鎖線内の太矢印がシールイン回路遮断装置１０の第１および第２コネクタ１２，１４間を結ぶ配線１６である。図３に示すように、第１コネクタ１２と第２コネクタ１４との間であって上述したシールイン回路ＳＣを構成する接続配線５０ａ間に対応する部分には、配線１６が設けられておらず、シールイン回路ＣＳを構成する接続配線５０ａ以外の接続配線５０間に対応する部分には、配線１６がそれぞれ設けられている。すなわち、第１コネクタ１２を可動側コネクタ５１に接続させ第２コネクタ１４を固定側コネクタ５２に接続させた場合において、上述した複数の配線１６は、シールイン回路ＳＣを構成する接続配線５０ａ以外の切り離された接続配線５０同士をそれぞれ接続するようになっている。したがって、可動側コネクタ５１と固定側コネクタ５２との間にシールイン回路遮断装置１０を接続させた場合、シールイン回路ＳＣのみをリフトさせる（浮かせる、あるいは切り離す）ことができる。
【００２４】
このような構成からなる配線１６は、柔軟性と難燃性とを有していることが好ましい。この場合、繰り返しの折り曲げ等に対する耐性を有するとともに、作業性を向上させることもできるからである。
【００２５】
また、図１に示すように、本実施の形態おいて、シールイン回路遮断装置１０は、配線１６を部分的に覆う伸縮性チューブからなる保護カバー１８と、磁石２４と、磁石２４と配線１６とを連結する連結紐２２と、磁石２４に取り付けられる表示札２６と、をさらに備えている。
【００２６】
このうち保護カバー１８は柔軟性と難燃性とを有する材料から構成されることが好ましい。このような保護カバー１８は、外傷を防ぐだけでなく、取り扱い中に生じるほつれ等からの損傷を抑制することができる。
【００２７】
連結紐２２も、作業性等を考慮して柔軟性と難燃性とを有する材料から構成されることが好ましい。また、連結紐２２の長さは、シールイン回路遮断装置１０を一対のコネクタ５１，５２間に接続した場合に、作業者の視覚に入りやすい場所に磁石を吸着させ得るようにすることを考慮して決定されるべきである。
【００２８】
図２に示すように、本実施の形態において、表示板２６は試験内容や試験実施部署等について記載することができるようになっている。また、表示板２６を視覚的な刺激をより与え得る構成に変更することも好ましい。なお、本実施の形態において、表示板２６が磁石２４に取り付けられている例を示したが、これに限られず、表示板２６が連結紐２２に取り付けられるようにしてもよい。
【００２９】
次に、図３を用い、このような構成からなるシールイン回路遮断装置１０を制御回路Ｃの一対のコネクタ５１，５２間に配置して用いる場合の作用について説明する。
【００３０】
図３に示すように、シールイン回路ＳＣは電磁接触器３６の補助接点３６ｃ，３６ｄを含んでおり、開操作または閉操作の指示が入力されると、電動弁Ｖ自体のリミットスイッチが入力される等の条件が成立しない限り電動弁Ｖは動作し続ける。しかしながら、シールイン回路遮断装置１０を制御回路Ｃの一対のコネクタ５１，５２間に配置した場合、シールイン回路遮断装置１０は電動弁Ｖ駆動用の制御回路Ｃのうちシールイン回路ＳＣを構成する接続配線５０ａを除き、それ以外の切り離された接続配線５０を接続させる（図４）。この場合、開側電磁接触器３６ａと閉側電磁接触器３６ｂとは、手動等によって開閉操作が入力されているときだけ動作することになる。これにより、所定の試験を安全に行うことができる状態となる。
【００３１】
以上のように本実施の形態において、シールイン回路遮断装置１０は、第１コネクタ１２が制御回路Ｃの一対のコネクタの一方（可動側コネクタ）５１に接続されるとともに第２コネクタ１４が制御回路Ｃの一対のコネクタの他方（固定側コネクタ）５２に接続された場合に、シールイン回路ＳＣを構成する接続配線５０ａ以外の切り離された接続配線５０同士をそれぞれ接続するようになっている。このようなシールイン回路遮断装置１０によれば、シールイン回路ＳＣのリフト処理を容易かつ迅速に行うことができるようになる。さらに、作業効率を向上させるだけでなく、ヒューマンエラーを抑制すること、および作業時の安全性を向上させることもできる。
【００３２】
また、本実施の形態において、配線１６は伸縮性チューブからなる保護チューブ内に挿入配置されているので、配線１６を損傷してしまうことやほつれさせてしまうことを抑制することができる。
【００３３】
さらに、本実施の形態において、シールイン回路遮断装置１０は、磁石２４と、磁石２４と配線１６とを連結する連結紐２２と、磁石２４または連結紐２２に取り付けられる表示札２６とを備えている。したがって、制御回路Ｃを収納するモータコントロールセンタ３０等に磁石２４を取り付けておくことができ、これにより、リフト処理の復旧作業を忘れてしまう可能性を視覚的な面から低減することができる。
【図面の簡単な説明】
【００３４】
【図１】本発明によるシールイン回路遮断装置の一実施の形態を示す斜視図。
【図２】シールイン回路遮断装置の使用方法を説明する図。
【図３】シールイン回路遮断装置を用いた場合における電動弁駆動用の制御回路の部分回路図。
【図４】電動弁駆動用の制御回路を収納するモータコントロールセンタの一例を示す概略斜視図。
【符号の説明】
【００３５】
１０  シールイン回路遮断装置
１２  第１コネクタ
１４  第２コネクタ
１６  配線
１８  保護カバー
２２  連結紐
２４  磁石
２６  表示札
３６，３６ａ，３６ｂ  電磁接触器
３６ｃ，３６ｄ  補助接点
４４  端子台
５０，５０ａ  接続配線
５１，５２  コネクタ
Ｃ  制御回路
ＳＣ  シールイン回路
【図１】
2010041743.tif 000003
【図２】
2010041743.tif 000004
【図３】
2010041743.tif 000005
【図４】
2010041743.tif 000006